(57)【特許請求の範囲】
【請求項１】
吸気口と送風口を有する略箱形状の本体ケースと、
この本体ケース内に設けた送風手段と空気清浄手段と、
前記送風口に設けた第１の風向調整手段と第２の風向調整手段と、
前記送風手段と前記第１の風向調整手段と前記第２の風向調整手段とを制御する制御手段とを備え、
前記送風口は前記本体ケースの天面に位置し、
前記第１の風向調整手段は、
第１の風向板と、
この第１の風向板を前記送風口に軸支する第１の軸支部と、
この第１の軸支部を介して前記第１の風向板を回動する第１の回動手段とから形成し、
前記第１の風向板は、
前記本体ケースにおける前面側に位置すると共に、前記本体ケースにおける前面側が、前記本体ケースの前記天面から仰角方向へ第１の角度まで回動可能で、
前記第２の風向調整手段は、
第２の風向板と、
この第２の風向板を前記送風口に軸支する第２の軸支部と、
この第２の軸支部を介して前記第２の風向板を回動する第２の回動手段とから形成し、
前記第２の風向板は、
前記本体ケースにおける背面側に位置すると共に、前記本体ケースにおける前面側が、前記本体ケースの前記天面から仰角方向へ第２の角度まで回動可能で、
前記本体ケースの前記天面は、水平面に対して平行な第１の天面と第２の天面を含む２つ以上の面で構成され、
前記第１の天面に前記第１の風向調整手段が、前記第２の天面に前記第２の風向調整手段が設けられ、前記第２の天面は前記第１の天面より低い高さに位置し、
前記本体ケースにおける前面側へ送風する前記第１の角度において前記第１の風向板の先端は、前記第１の天面より上方に位置し、
前記本体ケースにおける前面側へ送風する前記第２の角度において前記第２の風向板の先端は、前記第１の角度における前記第１の風向板の先端より上方に位置することを特徴とする空気清浄装置。
【請求項２】
前記送風手段は、スクロール形状のケーシング部と、このケーシング部に固定されたモーター部と、このモーター部によって水平方向に伸びた軸を中心に回転するファン部とからなり、前記ケーシング部は、側面には吸込口を備え、天面には吐出口を設け、この吐出口と前記ファン部との間にケーシング風路部を備え、前記ケーシング風路部が前記本体ケースにおける背面側から前面側へ傾斜する構成であり、前記第１の風向板の前記本体ケースにおける前後方向の寸法は、前記第２の風向板の前記本体ケースにおける前後方向の寸法より小さいことを特徴とする請求項１に記載の空気清浄装置。
【請求項３】
前記本体ケースの側面は、前記第１の天面と前記第２の天面位置に合わせ切り欠き部を持つことを特徴とする請求項１または２に記載の空気清浄装置。
【請求項４】
前記第１の天面に設けられた前記第１の風向調整手段の前方部に水平な略平面領域を有することを特徴とする請求項１から３のいずれかに記載の空気清浄装置。
【請求項５】
前記本体ケース前面に吸気位置調整板を有し、前記吸気位置調整板は、上部と下部で夫々別に前後方向移動可能な構造であって、上部を本体ケースに近接した位置に固定し、下部のみを前方向に開口することが出来る請求項１から４のいずれかに記載の空気清浄装置。
【発明の詳細な説明】
【技術分野】
【０００１】
本発明は、空気を浄化することのできる空気清浄装置に関するものである。
【背景技術】
【０００２】
従来のこの種の空気清浄機の構成は以下のようになっていた。
【０００３】
すなわち、吸気口と送風口を有する本体ケースと、この本体ケース内で、前記吸気口から前記送風口に送風される送風路に送風手段と空気清浄手段を設けた構成となっていた（例えば、特許文献１参照）。
【０００４】
以下、従来の空気清浄装置について説明する。空気清浄装置は、吸気口と送風口を有する本体ケースと、この本体ケース内に設けられた送風手段および空気清浄手段と、前記送風口に設けた第１の風向調整手段と第２の風向調整手段とを備え、前記送風口は前記本体ケースの天面に設けられ上方に開口すると共に、前記第１の風向調整手段と前記第２の風向調整手段により水平面から仰角方向へ前記本体ケースにおける前面側へ送風するように風向を変化させる構造であった。
【先行技術文献】
【特許文献】
【０００５】
【特許文献１】特開２０１４−１６０７１号公報
【発明の概要】
【発明が解決しようとする課題】
【０００６】
上記従来例における課題は、床上での吸気口へ流れ込む吸込気流の風速を更に増加させることであった。
【０００７】
送風口からの吹き出し角度が仰角方向へ大きいものに比べると、送風口からの吹き出し角度が仰角方向へ小さいものは、室内での循環気流の渦の中心が下るものである。このように、循環気流の渦の中心が下ることにより、床上での本体の吸気口へ流れ込む気流の垂直方向の高さが小さくなる。これによって、床上での吸気口へ流れ込む気流の風速および風量を増加させることができるものであった。また、送風口から吹出す風速を大きくすることによっても、床上での吸気口へ流れ込む気流の風速を増加させることができるものであった。
【０００８】
ここで、第１の風向調整手段と第２の風向調整手段が本体ケースの同一天面に設けられていることで、吹出し角度と送風口からの吹出し風速の範囲に制約がうまれるものであった。
【０００９】
そこで、本発明は、上記従来の課題を解決するものであり、床上での吸気口へ流れ込む気流の風速および風量を更に増加させる空気清浄機を提供することを目的とする。
【課題を解決するための手段】
【００１０】
そして、この目的を達成するために、本発明は、吸気口と送風口を有する略箱形状の本体ケースと、この本体ケース内に設けた送風手段と空気清浄手段と、前記送風口に設けた第１の風向調整手段と第２の風向調整手段とを備え、前記送風口は前記本体ケースの天面に位置し、前記第１の風向調整手段は、第１の風向板と、前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して平行な第１の天面と第２の天面を含む２つ以上の面で構成され、前記第１の天面に前記第１の風向調整手段を、前記第２の天面に前記第２の風向調整手段が設けられ、前記第２の天面は前記第１の天面より低い高さに位置し、前記本体ケースにおける前面側へ送風する前記第１の角度において前記第１の風向板の先端は、前記第１の天面より上方に位置し、前記本体ケースにおける前面側へ送風する前記第２の角度において前記第２の風向板の先端は、前記第１の角度における前記第１の風向板の先端より上方に位置することを特徴としたものであり、これにより所期の目的を達成するものである。
【発明の効果】
【００１１】
本発明によれば、吸気口と送風口を有する略箱形状の本体ケースと、この本体ケース内に設けた送風手段と空気清浄手段と、前記送風口に設けた第１の風向調整手段と第２の風向調整手段とを備え、前記送風口は前記本体ケースの天面に位置し、前記第１の風向調整手段は、第１の風向板と、前記第１の風向板を回動する第１の回動手段とから形成し、前記第１の風向板は、前記本体ケースにおける前面側に位置すると共に、前記本体ケースにおける前面側が、前記本体ケースの前記天面から仰角方向へ第１の角度まで回動可能で、前記第２の風向調整手段は、第２の風向板と、前記第２の風向板を回動する第２の回動手段とから形成し、前記第２の風向板は、前記本体ケースにおける背面側に位置すると共に、前記本体ケースにおける前面側が、前記本体ケースの前記天面から仰角方向へ第２の角度まで回動可能で、前記本体ケースの前記天面は、水平面に対して平行な第１の天面と第２の天面を含む２つ以上の面で構成され、前記第１の天面に前記第１の風向調整手段を、前記第２の天面に前記第２の風向調整手段が設けられ、前記第２の天面は前記第１の天面より低い高さに位置し、前記本体ケースにおける前面側へ送風する前記第１の角度において前記第１の風向板の先端は、前記第１の天面より上方に位置し、前記本体ケースにおける前面側へ送風する前記第２の角度において前記第２の風向板の先端は、前記第１の角度における前記第１の風向板の先端より上方に位置することを特徴としたものであり、これにより、床上での吸気口へ流れ込む気流の風速および風量を増加させることができる。
【００１２】
すなわち、本体ケースの天面は、水平面に対して平行な第１の天面と第２の天面を含む２つ以上の面で構成され、第１の天面に第１の風向調整手段が、第２の天面に第２の風向調整手段が設けられ、第２の天面は第１の天面より低い高さに位置し、前記本体ケースにおける前面側へ送風する前記第１の角度において前記第１の風向板の先端は、前記第１の天面より上方に位置し、前記本体ケースにおける前面側へ送風する前記第２の角度において前記第２の風向板の先端は、前記第１の角度における前記第１の風向板の先端より上方に位置するという構成にしたことにより、第１の天面から第１の風向板を第１の角度、第２の風向板を第２の角度傾斜させた場合と比較し、第２の天面から第２の風向板を第２の角度傾斜させた方が、垂直方向への吹出し幅が狭くなるので、室内での循環気流の渦の中心が下がると共に、送風口から吹出す風速が大きくなることで、床上での吸気口へ流れ込む気流の風速および風量を増加させることができるという効果を得ることができる。
【図面の簡単な説明】
【００１３】
【図１】本発明の実施の形態１の空気清浄装置の斜視図
【図２】同空気清浄装置の概略縦断面図
【図３】同空気清浄装置の第１の風向調整手段および第２の風向調整手段の概略図
【図４】同空気清浄装置の第１の風向調整手段および第２の風向調整手段の概略縦断面図
【発明を実施するための形態】
【００１４】
（実施の形態１）
図１および図２に示すように、本実施形態の空気清浄装置は、吸気口１と送風口２を有する本体ケース３と、この本体ケース３内に設けられた空気清浄手段４と、送風手段５と、制御手段６と、操作部７を備えている。
【００１５】
本体ケース３は、縦長四角箱形状で、本体ケース３の前面の下部に吸気口１を備え、本体ケース３の天面の背面側に横長四角形状の送風口２を設けている。この送風口２には、開閉自在に設けられた第１の風向調整手段８と第２の風向調整手段９とを備えている。
【００１６】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１７】
送風手段５は、空気清浄手段４と本体ケース３の送風口２との間の風路に位置し、ケーシング部１０と、モーター部１１と、ファン部１２とから形成している。
【００１８】
ケーシング部１０は、スクロール形状で、側面に円形状の吸込口１３を備え、上面に横長四角形状の吐出口１４を設け、この吐出口１４とファン部１２との間にケーシング風路部１６を備えている。このケーシング部１０には、モーター部１１が固定されている。
【００１９】
このモーター部１１の水平方向に伸びた軸部１５には、遠心送風タイプのファン部１２が固定されている。モーター部１１によってファン部１２が回転すると、本体ケース３外の空気が、吸気口１から本体ケース３内に吸気され、空気清浄手段４、送風手段５とを順次介して送風口２へと送風されるものである。
【００２０】
操作部７は、本体ケース３の天面の送風口２より前面側に位置し、この操作部７の下方には、制御手段６を備えている。この制御手段６は、操作部７からの入力により、送風手段５と第１の風向調整手段８と第２の風向調整手段９とを制御するものである。
【００２１】
図３および図４に示すように、本体ケース３の天面は、水平面に対して平行な第１の天面２８と第２の天面２９で構成され、第１の天面２８に第１の風向調整手段８が、第２の天面２９に第２の風向調整手段９が設けられ、第２の天面２９は第１の天面２８より低い高さに位置するものである。
【００２２】
第１の風向調整手段８は、横長四角形状の平板である第１の風向板１７と、この第１の風向板１７を送風口２に回動自在に軸支する第１の軸支部１８とから形成している。この第１の軸支部１８は、第１の風向板１７の短辺側から外方へ伸びた第１の軸部１９と、送風口２に設けられた水平方向の孔で、この第１の軸部１９が入る第１の軸受部２０とからなる。第１の軸部１９を介して第１の風向板１７を回動させる第１の回動手段２１を備えている。第１の風向板１７は、本体ケース３における前面側に位置すると共に、第１の回動手段２１によって、本体ケース３における前面側が、本体ケース３の第１の天面２８から仰角方向へ第１の角度まで回動可能である。
【００２３】
第２の風向調整手段９は、横長四角形状の平板である第２の風向板２２と、この第２の風向板２２を送風口２に回動自在に軸支する第２の軸支部２３とから形成している。この第２の軸支部２３は、第２の風向板２２の短辺側から外方へ伸びた第２の軸部２４と、送風口２に設けられた水平方向の孔で、この第２の軸部２４が入る第２の軸受部２５とからなる。第２の軸部２４を介して第２の風向板２２を回動させる第２の回動手段２６を備えている。第２の風向板２２は、本体ケース３における背面側に位置すると共に、第２の回動手段２６によって、本体ケース３における前面側が、本体ケース３の第２の天面２９から仰角方向へ第２の角度まで回動可能である。
【００２４】
本実施の形態における特徴は、本体ケース３の天面が、水平面に対して平行な第１の天面２８と第２の天面２９で構成され、第１の天面２８に第１の風向調整手段８が、第２の天面２９に第２の風向調整手段９が設けられ、第２の天面２９は第１の天面２８より低い高さに位置する点である。
【００２５】
すなわち、送風手段５によって、吸気口１から吸い込まれた空気は、空気清浄手段４を介して、送風口２へ送風され、第１の風向調整手段８と第２の風向調整手段９で風向を変化させるのである。第１の風向調整手段８は、本体ケース３における前面側の第１の天面２８に位置すると共に、第１の天面２８から仰角方向へ第１の角度で本体ケース３における前面側へ送風するように第１の風向板１７の角度を変化させ、第２の風向調整手段９は、本体ケース３における背面側の第２の天面２９に位置すると共に、第２の天面２９から仰角方向へ第２の角度で本体ケース３における前面側へ送風するように第２の風向板２２の角度を変化させる。
【００２６】
ここで、第１の風向調整手段８と第２の風向調整手段９を有する第１の天面２８と第２の天面２９を水平面に対し平行とすることで、第１の風向調整手段８と第２の風向調整手段９を有する天面が本体ケース３の背面から前面に向かうにつれて上方へ傾斜する傾斜面で構成されている場合と比較し、第１の風向板１７と第２の風向板２２の角度を水平に近づけることができる。それにより、送風口２からの吹出し風の吹出す角度が仰角方向へより小さいものとなり、水平に近づくことで室内での循環気流の渦の中心が下がることにより、本体の吸気口１へ流れ込む気流の床上からの高さが小さくなる。これにより床上での風量および風速を増大させることができる。
【００２７】
また、本体ケース３の天面が、第１の天面２８と第２の天面２９で構成され、第２の天面２９は第１の天面２８より低い高さに位置することで、第１の風向調整手段８と第２の風向調整手段９が同一平面上に存在する時と比較し、送風口からの吹出し風の垂直方向への吹出し幅が狭く、風速が早くなることで、室内でより強い循環気流を作り出すことができ、吸気口へ流れ込む気流の、室内床上全体での風速および風量を増加させることができるという効果を得ることができる。
【００２８】
また、ケーシング風路部１６が本体ケース３における背面側から前面側へ傾斜する構成であり、第１の風向板１７の本体ケース３における前後方向の寸法は、第２の風向板２２の本体ケース３における前後方向の寸法より小さい構成である。
【００２９】
このように、ファン部１２は、モーター部１１によって水平方向に伸びた軸である軸部１５を中心に回転するので、吸込口１３から吸い込まれた空気は、ケーシング風路部１６内をほぼ垂直上方へ送風される。ここで、ケーシング風路部１６が本体ケース３における背面側から前面側へ傾斜しているので、ケーシング風路部１６内では、本体ケース３における背面側の比べ前面側を通過する風量が減少し、背面側を通過する風量が増加する。つまり、第１の風向板１７より第２の風向板２２の方がより風速の早い風の風向を変化させる必要がる。風向板の寸法で、吹出し方向に沿った本体ケース３における前後方向の幅を大きくすることで、第２の風向板２２から上に洩れる風の量を低減させ、前方方向へ風向を変えることの出来る風量が増加する。これにより、風の吹出す角度の中心が水平に近づくことで室内での循環気流の渦の中心が下がり、吸気口１へ流れ込む気流の床上からの高さが小さくなり、床上での風量および風速を増大させることができる。
【００３０】
図４に示すように、本体ケース３の側面は、第１の天面２８と第２の天面２９位置に合わせ切り欠き部３０を持つ構成である。
【００３１】
具体的には、本体ケース３の側面側から見ると、本体ケース３の天面は、平面ではなく、２つの水平面を備えた階段状に切り欠かれて見える。この切り欠かれた部分が、切り欠き部３０である。つまり、本体ケース３の側面側から見ると、第２の風向板２２が開いた場合には、切り欠き部３０を介して、第２の風向板２２を見ることができる。また、第１の風向板１７と第２の風向板２２が閉じると、それぞれの水平面と同一面となる。
【００３２】
ここで、切り欠き部３０を有することで、第１の風向調整手段８と第２の風向調整手段９を有する天面が本体ケース３の背面から前面に向かうにつれて上方へ傾斜する傾斜面で構成されている切り欠き部を有さない構造と比較し、側面方向の第２の天面２９から第２の風向板２２の開口度が広がることになる。これにより、ケーシング風路部１６を通り、第２の風向板２２で風向を変えられる風は本体ケース３の前方方向だけでなく、左右方向へも風向が変えられることとなる。これにより、本体ケース３の前方方向への強い気流だけでなく、本体の左右方向に対し斜め前方方向にも広がる気流が生じることとなるため、室内の略中央下領域を包み込む循環気流が生まれることで、吸気口１へ流れ込む気流の床上での風量および風速を更に増大させることができる。
【００３３】
図４に示すように、第１の天面２８に設けられた第１の風向調整手段８の前方部に略平面領域を有する第３の天面３１を持つ構成である。ケーシング風路部１６内の本体ケース３における前面側を通過する風が、第３の天面３１によるコアンダ効果によって、第３の天面３１に沿うように吹出すので、送風口２からの吹出し角度が仰角方向へより小さいものとなる。
【００３４】
結果として、床上での本体の吸気口１へ流れ込む気流の垂直方向の高さを小さくできるため、床上での吸気口１へ流れ込む気流の風速を更に増加させることができる。
【００３５】
図２に示すように、本体ケース３前面に吸気位置調整板３２を有し、吸気位置調整板は、上部と下部で夫々別に前後方向移動可能な構造であって、上部を本体ケースに近接した位置に固定し、下部のみを前方向に開口する構造である。これにより、本体ケース３の前方全体から吸気するのと比較し、吸気口の位置を下方に制限することができる。これにより、床上での本体の吸気口１へ流れ込む気流の垂直方向の高さを小さくできるため、床上での吸気口１へ流れ込む気流の風速を更に増加させることができる。
【産業上の利用可能性】
【００３６】
本発明にかかる空気清浄装置は、家庭用や業務用などの、空気清浄装置等としての活用が期待されるものである。
【符号の説明】
【００３７】
１    吸気口
２    送風口
３    本体ケース
４    空気清浄手段
５    送風手段
６    制御手段
７    操作部
８    第１の風向調整手段
９    第２の風向調整手段
１０    ケーシング部
１１    モーター部
１２    ファン部
１３    吸込口
１４    吐出口
１５    軸部
１６    ケーシング風路部
１７    第１の風向板
１８    第１の軸支部
１９    第１の軸部
２０    第１の軸受部
２１    第１の回動手段
２２    第２の風向板
２３    第２の軸支部
２４    第２の軸部
２５    第２の軸受部
２６    第２の回動手段
２８    第１の天面
２９    第２の天面
３０    切り欠き部
３１    第３の天面
３２    吸気位置調整板
【図１】
0006543801.tif 000002
【図２】
0006543801.tif 000003
【図３】
0006543801.tif 000004
【図４】
0006543801.tif 000005